(57)【特許請求の範囲】
【請求項１】
制御信号に応じて動作し、入力データ信号をパラレルに複数の出力データ信号とし、該複数の出力データ信号の電圧レベルを各々調整して表示パネルに対する複数の駆動信号を出力する駆動回路を複数備えた表示装置駆動回路において、
前記複数の駆動回路の各々は、電圧レベルが変換された前記制御信号及び前記入力データ信号を発生するレベル変換手段と、前記レベル変換手段の動作を制御する動作制御回路と、前記電圧レベルが変換された前記制御信号に応答して、電圧レベルが変換された前記入力データ信号を順次格納し、前記入力データ信号に基づいた前記複数の出力データ信号を出力する格納手段と、前記複数の出力データ信号に基づいて、前記表示パネルに対する前記複数の駆動信号を出力する出力ドライバとで構成され、
前記複数の駆動回路のうちの一つの駆動回路内の前記レベル変換手段によって前記電圧レベルが変換された前記制御信号及び入力データ信号は、前記一つの駆動回路内の前記格納手段に入力されると共に、前記複数の駆動回路のうちの他の一つの駆動回路内の前記格納手段に入力され、
前記一つの駆動回路内の前記レベル変換手段の動作は、動作信号に応答して動作する、前記一つの駆動回路内の前記動作制御回路によって許可され、
前記他の一つの駆動回路内の前記レベル変換手段の動作は、他の動作信号に応答して動作する、前記他の一つの駆動回路内の前記動作制御回路によって禁止されることを特徴とする表示装置駆動回路。
【請求項２】
請求項１記載の表示装置駆動回路において、
前記制御信号はクロック信号であり、
前記入力データ信号は表示データ信号であり、
前記複数の格納手段は、前記クロック信号の電圧レベルの遷移に応答して前記表示データを格納することを特徴とする表示装置駆動回路。
【請求項３】
請求項１又は２記載の表示装置駆動回路と、
前記表示装置駆動回路によって駆動される前記表示パネル部とを備えたことを特徴とする表示ユニット。
【請求項４】
請求項３記載の表示ユニットを備えたことを特徴とする携帯用表示機器。
【発明の詳細な説明】
【０００１】
【発明の属する技術分野】
本発明は駆動回路及び表示ユニットに関し、特に、携帯機器等に用いられるフラットパネル表示装置の表示制御に用いられる駆動回路及び表示ユニットに関する。
【０００２】
【従来の技術】
パーソナルコンピュータやワードプロセッサ等、表示装置を有する機器は様々な分野で用いられている。このような機器には、表示装置としてフラットパネル型の表示装置が用いられている。フラットパネル型の表示装置としては、液晶表示装置、プラズマディスプレイ装置、エレクトロ・ルミネッサンスを用いた表示装置等がある。この中でも、液晶表示装置は他の表示装置に比べて用いられることが多い。
【０００３】
近年、パーソナルコンピュータやワードプロセッサ等の機器においては携帯可能なものが多い。また、携帯電話においても表示装置を利用したものがある。
【０００４】
表示装置における表示パネル部の駆動（表示の制御）には駆動回路が用いられる。駆動回路としては、液晶表示装置を例にとると、ＴＦＴ（薄膜トランジスタ）表示パネルの一辺側（例えば、表示パネルの長辺側）に配置されるソースドライバと、表示パネルの他の一辺側（例えば、表示パネルの短辺側）に配置されるゲートドライバとがある。
【０００５】
ここで、ゲートドライバは入力データ信号を順次格納し、パラレルに出力するシフトレジスタ、シフトレジスタの出力をレベル変換するレベル変換回路、レベル変換回路の出力を調整して出力する出力ドライバを有する。表示パネル部の駆動には、複数のゲートドライバが用いられる。従来技術としては、次の文献に開示されるものがある。
特開平５ー２９７８１７号公報
【０００６】
【発明が解決しようとする課題】
ゲートドライバを構成するレベル変換回路は、例えば電圧レベルとして０Ｖ（接地電圧）から５Ｖ（電源電圧）を０Ｖから３０Ｖの電圧レベルに変換するものである。このような変換のため、レベル変換回路はその動作に伴い、消費電流が多い。ゲートドライバを構成する要素で消費電流が最も多いのがレベル変換回路である。レベル変換回路は、シフトレジスタからの複数の出力信号をそれぞれレベル変換する。また、上述のように、表示パネル部の駆動には複数のゲートドライバが用いられる。表示装置としての消費電流を低減するために、ゲートドライバにおける消費電流を低減する必要があったが、従来においては有効な手段はなかった。
【０００７】
また、消費電流の低減のため、複雑な回路の追加による、表示装置の駆動に行う構成の増大や、開発、製造の複雑化によるコストの増加は避けるべきである。同様に、消費電流の低減のため、従来の表示装置の駆動を行う構成の機能が低減することも避けるべきである。
【０００８】
また、表示装置を有し、充電池等で動作する携帯機器においては、消費電流を低減することは強く望まれている。
【０００９】
本発明は、駆動回路が適用される機器における消費電流の低減を実現する駆動回路を提供することを主目的とする。
【００１０】
本発明の他の目的は、上記主目的を駆動回路の回路構成を増大することなく実現することである。
【００１１】
本発明の他の目的は、上記主目的を駆動回路の開発や製造を複雑化することなく実現することである。
【００１２】
本発明の他の目的は、上記主目的を表示装置の駆動に行う構成の機能が低減することなく実現することである。
【００１３】
【課題を解決するための手段】
上記目的を達成するため、本発明は、制御信号に応じて動作し、入力データ信号をパラレルに複数の出力データ信号とし、これらの複数の出力データ信号の電圧レベルを各々調整して表示パネルに対する複数の駆動信号を出力する駆動回路を複数備えた表示装置駆動回路において、複数の駆動回路の各々は、電圧レベルが変換された制御信号及び入力データ信号を発生するレベル変換手段と、レベル変換手段の動作を制御する動作制御回路と、電圧レベルが変換された制御信号に応答して、電圧レベルが変換された入力データ信号を順次格納し、入力データ信号に基づいた複数の出力データ信号を出力する格納手段と、複数の出力データに基づいて、表示パネルに対する複数の駆動信号を出力する出力ドライバとで構成され、複数の駆動回路のうちの一つの駆動回路内のレベル変換手段によって電圧レベルが変換された制御信号及び入力データ信号は、この一つの駆動回路内の格納手段に入力されると共に、複数の駆動回路のうちの他の一つの駆動回路内の格納手段に入力され、一つの駆動回路内のレベル変換手段の動作は、動作信号に応答して動作する、一つの駆動回路内の動作制御回路によって許可され、他の一つの駆動回路内のレベル変換手段の動作は、他の動作信号に応答して動作する、他の一つの駆動回路内の動作制御回路によって禁止されることを特徴とする。
【００１６】
また、本発明は、表示装置駆動回路において、レベル変換手段の動作を制御する動作制御回路を有するものであってもよい。
【００１７】
また、本発明は、上述の表示装置駆動回路と、この表示装置駆動回路によって駆動される表示パネルとを備えたものであってもよい。
【００１８】
また、本発明は、この表示ユニットを携帯用表示機器に用いるものであってもよい。
【００１９】
【発明の実施の形態】
本発明の駆動回路及び表示ユニットについて以下、図面を用いて説明する。図１は、本発明の第１の実施の形態における表示装置における表示パネル部１０を駆動する構成を示す回路ブロック図である。なお、実施の形態においては、ＴＦＴ液晶表示パネルを例として説明する。
【００２０】
図１において、表示パネル部１０を駆動する駆動回路として、表示パネル部１０の表示信号方向（矢印Ｘで示す方向）に沿って配置されるソースドライバ６０と表示パネル部１０の走査方向（矢印Ｙで示す方向）に沿って配置される、各々集積回路化されたゲートドライバ２０、３０、４０、５０とがある。図中では、ソースドライバ６０（複数のソースドライバを有するものであるが、１つだけ示している）及び表示パネル部１０を簡略的に示している。実施の形態において、ゲートドライバ２０、３０、４０、５０の各々を駆動回路と称し、表示パネル部１０、ソースドライバ６０（省略している複数のソースドライバも含む）、ゲートドライバ２０、３０、４０、５０を組み合わせた状態を表示ユニットと称する。なお、表示ユニットとしては、ゲートドライバ２０、３０、４０、５０からなるゲートドライバ群が複数用意されるものもある。
【００２１】
第１の駆動回路としてのゲートドライバ２０は、レベル変換手段であるレベルシフタ２２、データ格納手段であるシフトレジスタ２４、駆動手段である出力ドライバ２６で構成されている。
【００２２】
シフトレジスタ２２は、配線７２から表示データであるデータ信号が、配線７４からクロック信号が、配線７６からシフトレジスタ２４のシフト方向を指示するシフト方向制御信号が、配線７８からシフトレジスタ２４の出力データ信号の出力の許可／禁止を制御する出力イネーブル信号が入力される。なお、実施の形態においてはクロック信号、シフト方向制御信号、出力イネーブル信号をまとめて制御信号と称するが、表示パネル部１０の駆動において、シフト方向制御信号及び出力イネーブル信号は必ずしも必要なものではない。また、実施の形態においては、制御信号を３つの信号としているが、更に他の信号を含めてもよい。
【００２３】
レベルシフタ２２は配線７２、７４、７６、７８から入力されたデータ信号及び制御信号の電圧レベルを変換してそれぞれ配線８２、８４、８６、８８に出力する。
【００２４】
図２にレベルシフタ２２の回路構成の一部を示す。レベルシフタ２２はＰチャネル型ＭＯＳトランジスタ２２ー１、２２ー２と、Ｎチャネル型ＭＯＳトランジスタ２２ー３、２２ー４と、インバータ２２ー５とから構成されている。
【００２５】
トランジスタ２２ー１は一方の電極には高電圧ＶＸ（例えば、３０Ｖ）が供給され、他方の電極はノードｎ１に接続され、ゲート電極はノードｎ２に接続されている。トランジスタ２２ー２は一方の電極には高電圧ＶＸが供給され、他方の電極はノードｎ２に接続され、ゲート電極はノードｎ１に接続されている。トランジスタ２２ー３は一方の電極には接地電圧ＧＮＤ（０Ｖ）が供給され、他方の電極はノードｎ１に接続され、ゲート電極は入力信号（例えば、配線７２から転送される信号）を受信する。トランジスタ２２ー４は一方の電極には接地電圧ＧＮＤが供給され、他方の電極はノードｎ２に接続され、ゲート電極はインバータ２２ー５を介して入力信号ＩＮの電圧レベルを反転した信号を受信する。ノードｎ２はレベルシフタ２２の出力ＯＵＴとして利用される。
【００２６】
入力信号ＩＮとして、例えば、配線７２から電圧レベルとして０Ｖあるいは５Ｖの信号が入力される。入力信号の電圧レベルが５Ｖの時、トランジスタ２２ー３が導通状態となる。トランジスタ２２ー２にはゲートにはトランジスタ２２ー３を介して０Ｖの電圧が与えられるため、トランジスタ２２ー２は導通状態となる。ノードｎ２にはトランジスタ２２ー２を介して高電圧ＶＸが供給される。この時、トランジスタ２２ー１、２２ー４は非導通である。入力信号の電圧レベルが０Ｖの時、トランジスタ２２ー４が導通状態となる。トランジスタ２２ー１のゲート電極にはトランジスタ２２ー４を介して０Ｖの電圧が与えられるため、トランジスタ２２ー１は導通状態となる。ノードｎ２にはトランジスタ２２ー４を介して０Ｖが供給される。この時、トランジスタ２２ー２、２２ー３は非道通である。
【００２７】
上述のような動作により、レベルシフタ２２は入力された電圧レベルが０〜５Ｖの信号を電圧レベルが０〜ＶＸ（例えば、３０Ｖ）の信号にレベル変換することができる。レベルシフタ２２には、図２の回路が入力される信号の分だけ設けられている。これにより、例えば、実施の形態においては、配線７２、７４、７６、７８から転送される信号の電圧レベルをそれぞれレベル変換する。
【００２８】
レベルシフタ２２にてレベル変換された信号はそれぞれ配線８２、８４、８６、８８を介してシフトレジスタ２４に入力される。また、配線８４、８６、８８にて転送される、レベル変換された制御信号はゲートドライバ２０の外部へ出力可能になっている。
【００２９】
シフトレジスタ２４の回路構成を図３に示す。図３においては、説明簡略化のため、シフト方向制御信号（配線８６を介して転送される信号）及び出力イネーブル信号（配線８８を介して転送される信号）に関わる構成は示していない。シフト方向制御信号及び出力イネーブル信号を削除できるのは、上述のように、必ずしも必要でないためである。
【００３０】
シフトレジスタ２４は複数の格納手段であるフリップフロップ２４ー１〜２４ーｎ（ｎは正の整数）から構成されている。フリップフロップ２４ー１のデータ端子Ｄには配線８２から転送されるレベル変換されたデータ信号が入力される。フリップフロップ２４ー１は配線８４から転送されるレベル変換されたクロック信号の立ち上がりに応答して、データ信号を格納し、格納しているデータ信号を出力端子Ｑから出力する。出力端子Ｑは次段のフリップフロップ２４ー２のデータ端子Ｄにも接続されている。同様に、フリップフロップ２４ーｋ（ｋは２以上ｎ以下の正の整数）は配線８４から転送されるレベル変換されたクロック信号の立ち上がりに応答して、データ端子Ｄに入力されるデータ信号を格納し、格納しているデータ信号を出力端子Ｑから出力する。フリップフロップ２４ー２〜２４ー（ｎー１）の出力端子Ｑはそれぞれ次段のフリップフロップ２４ー３〜２４ーｎのデータ端子Ｄにも接続されている。
【００３１】
シフトレジスタ２４はクロックパルスを受信する毎に、受信した入力データ信号に基づくｎ個の出力信号をパラレルに出力することができる。
【００３２】
なお、シフト方向制御信号に応答する場合には、フリップフロップ２４ーｎのデータ端子Ｄにも選択的に配線８２と接続可能とし、フリップフロップ２４ーｋの出力端子Ｑとフリップフロップ２４ー（ｋー１）のデータ端子Ｄとを選択的に接続可能とし、図３におけるフリップフロップ２４ーｋの出力端子Ｑとフリップフロップ２４ー（ｋ＋１）のデータ端子Ｄとを選択的に接続可能とするスイッチを設け、フリップフロップ２４ー１のデータ端子と配線８２の選択的に接続可能とするスイッチを設ければよい。これら接続をシフト方向制御信号に応じて選択的に行わせるようにすればよい。また、出力イネーブル信号に応答する場合は、フリップフロップ２４ー１〜２４ーｎのうち、出力の許可／禁止を制御したい出力端子Ｑに、選択的な出力を可能とするスイッチを設け、このスイッチの動作を出力イネーブル信号に応答するようにすればよい。
【００３３】
出力ドライバ２６は、例えばバッファから構成される。シフトレジスタ２４からの複数の出力信号をバッファを介して表示パネル部１０へ転送するものである。
【００３４】
第２の駆動回路であるゲートドライバ３０、４０、５０は同様な構成となっている。ゲートドライバ３０はシフトレジスタ３４と出力ドライバ３６とから構成されている。ゲートドライバ４０はシフトレジスタ４４と出力ドライバ４６とから構成されている。ゲートドライバ５０はシフトレジスタ５４と出力ドライバ５６とから構成されている。シフトレジスタ３４、４４、５４の回路構成は図３に示すシフトレジスタ２４と同様である。出力ドライバ３６、４６、５６の回路構成は出力ドライバ２６と同様である。シフトレジスタ３４、４４、５４にはゲートドライバ２０のレベルシフタ２２にてレベル変換された制御信号（クロック信号、シフト方向制御信号、出力イネーブル信号）が入力される。つまり、ゲートドライバ３０、４０、５０にはレベルシフタ２２の出力を受信する入力端子を有する。
【００３５】
シフトレジスタ３４にはシフトレジスタ２４の最終段であるフリップフロップ２４ーｎから出力された信号が、配線９２を介して、データ信号として入力される。シフトレジスタ４４にはシフトレジスタ３４の最終段であるフリップフロップから出力された信号が、配線９４を介して、データ信号として入力される。シフトレジスタ５４にはシフトレジスタ４４の最終段であるフリップフロップから出力された信号が、配線９６を介して、データ信号として入力される。シフトレジスタ５４には、シフトレジスタ５４の最終段のフリップフロップからの出力信号を配線９８からシフトレジスタ５４の外部へ出力可能となっている。ただし、実施の形態においては、配線９８の信号は使用されないものである。
【００３６】
このように構成されたゲートドライバ２０、３０、４０、５０の動作についてを説明する。
【００３７】
配線７２、７４、７６、７８からそれぞれデータ信号、及び制御信号（クロック信号、シフト方向制御信号、出力イネーブル信号）がゲートドライバ２０に入力される。ゲートドライバ２０はレベルシフタ２２によりデータ信号及び制御信号をレベル変換する。レベル変換された制御信号はシフトレジスタ２４に転送されるとともに、ゲートドライバ３０のシフトレジスタ３４、ゲートドライバ４０のシフトレジスタ４４、ゲートドライバ５０のシフトレジスタ５４に転送される。
【００３８】
シフトレジスタ２４にはレベルシフタ２２にてレベル変換されたデータ信号が入力される。シフトレジスタ２４はクロック信号に応答してデータ信号を順次格納し、出力する。シフトレジスタ３４はシフトレジスタ２４を介して転送されるデータ信号が入力される。シフトレジスタ３４はクロック信号に応答してデータ信号を順次格納し、出力する。シフトレジスタ４４はシフトレジスタ３４を介して転送されるデータ信号が入力される。シフトレジスタ４４はクロック信号に応答してデータ信号を順次格納し、出力する。シフトレジスタ５４はシフトレジスタ４４を介して転送されるデータ信号が入力される。シフトレジスタ５４はクロック信号に応答してデータ信号を順次格納し、出力する。シフトレジスタ２４、３４、４４、５４の出力信号はそれぞれ出力ドライバ２６、３６、４６、５６を介してパラレルに出力される。出力ドライバ２６、３６、４６、５６の出力信号により表示パネル部１０を構成する薄膜トランジスタ（ＴＦＴと称する）のゲート電極に供給される。この結果、表示パネル部１０が駆動される。
【００３９】
このように構成しているため、各ゲートドライバのシフトレジスタはレベル変換された信号を処理するものであるが、一般的に知られているように、フリップフロップであればインバータやトランスファーゲート等で構成されるため、レベルシフタのような比較動作等がなく、応答速度が速いため、貫通電流もごく短時間しか流れない。これに対して、レベルシフタは、貫通電流の流れる時間が長く、応答速度を上げるためには、電流値を増加させる必要がある。このため、シフトレジスタの消費電流はレベルシフタに比べて極めて小さい。出力バッファについてもシフトレジスタと同様である。
【００４０】
以上、詳細に説明したように、第１の実施の形態においては、ゲートドライバユニットを構成する複数のゲートドライバのうちのゲートドライバ２０にレベルシフタ２２を有し、このレベルシフタ２２の出力を他のゲートドライバ３０、４０、５０にも転送するようにしている。このため、レベル変換手段であるレベルシフタが１つで済むこととなる。例えば、表示ユニットに４つのゲートドライバが必要とされるのであれば、従来各ゲートドライバに設けられていたレベルシフタの数が１／４で済むことになる。よって、消費電流も低減することができる。また、レベルシフタを設けないゲートドライバにおいてはレベル変換された信号を受信する端子を設ければよいので、ゲートドライバとしてのサイズを縮小でき、レベルシフタを設けないため製造も容易である。また、ゲートドライバのサイズ縮小に伴い表示ユニットとしてのサイズが縮小される効果が望める。
【００４１】
なお、シフトレジスタやレベルシフタの構成は上述した回路例に限定されるものではない。本発明の効果が実現できるものであれば、どのような回路構成であってもよい。
【００４２】
次に、第２の実施の形態における駆動回路及び表示ユニットについてを図面を用いて説明する。図４は第２の実施の形態における表示装置における表示パネル部１０を駆動する構成を示す回路ブロック図である。図４において、図１に示す第１の実施の形態と同様な構成要素については同じ符号を付けている。
【００４３】
図４においては、図１のゲートドライバ３０、４０、５０の代わりにゲートドライバ１３０、１４０、１５０をそれぞれ設けている。
【００４４】
ゲートドライバ１３０、１４０、１５０は同様な回路構成である。ゲートドライバ１３０には、バッファ回路１３２が設けられている。ゲートドライバ１３０内のシフトレジスタ３４、出力ドライバ３６は図１におけるゲートドライバ３０内のシフトレジスタ、出力ドライバと同様である。
【００４５】
バッファ回路１３２には、ゲートドライバ２０内のレベルシフタ２２にてレベル変換され、配線８４、８６、８８に転送される制御信号（クロック信号、シフト方向制御信号、出力イネーブル信号）が入力される。
【００４６】
図５にバッファ１３２の回路構成図を示す。バッファ回路１３２は６つのインバータ１３２ー１〜１３２ー６から構成されている。バッファ１３２ー１の入力は配線８４に接続されている。バッファ１３２ー２の入力はバッファ１３２ー２の出力に接続されている。バッファ１３２ー２の出力は配線１８４に転送される。バッファ１３２ー３の入力は配線８６に接続されている。バッファ１３２ー４の入力はバッファ１３２ー３の出力に接続されている。バッファ１３２ー４の出力は配線１８６に転送される。バッファ１３２ー５の入力は配線８８に接続されている。バッファ１３２ー６の入力はバッファ１３２ー５の出力に接続されている。バッファ１３２ー６の出力は配線１８８に転送される。
【００４７】
配線８４にて転送される信号（クロック信号）はインバータ１３２ー１及び１３２ー２を介すことで、波形整形されて出力される。配線８６にて転送される信号（シフト方向制御信号）はインバータ１３２ー３及び１３２ー４を介すことで、波形整形されて出力される。配線８８にて転送される信号（出力イネーブル信号）はインバータ１３２ー５及び１３２ー６を介すことで、波形整形されて出力される。
【００４８】
ゲートドライバ１３０に入力される制御信号はバッファ回路１３２を介してシフトレジスタ３４に入力するとともに、ゲートドライバ１３０の外部に出力される。
【００４９】
ゲートドライバ１４０に設けられたバッファ回路１４２もバッファ回路１３２と同様な回路構成である。ゲートドライバ１４０内のシフトレジスタ４４、出力ドライバ４６は図１におけるゲートドライバ４０内のシフトレジスタ、出力ドライバと同様である。ゲートドライバ１４０に入力される制御信号（配線１８４、１８６、１８８に転送されている信号）はバッファ回路１４２を介して配線２８４、２８６、２８８に転送され、シフトレジスタ４４に入力するとともに、ゲートドライバ１４０の外部に出力される。
【００５０】
ゲートドライバ１５０に設けられたバッファ回路１５２もバッファ回路１３２と同様な回路構成である。ゲートドライバ１５０内のシフトレジスタ５４、出力ドライバ５６は図１におけるゲートドライバ５０内のシフトレジスタ、出力ドライバと同様である。ゲートドライバ１５０に入力される制御信号（配線２８４、２８６、２８８に転送されている信号）はバッファ回路１５２を介して配線３８４、３８６、３８８に転送され、シフトレジスタ５４に入力する。配線３８４、３８６、３８８に転送されている信号はゲートドライバ１５０の外部に出力される構成としているが、この信号は利用されない信号となる。
【００５１】
このように構成されたゲートドライバ２０、１３０、１４０、１５０からなるゲートドライバユニットの動作は第１の実施の形態におけるゲートドライバユニットと同様である。
【００５２】
第２の実施の形態においては、駆動回路（ゲートドライバ）における消費電流の低減が望めるとともに、ゲートドライバ１３０、１４０、１５０にそれぞれ転送される制御信号の減衰による誤動作（ファンアウトの問題）を防止することができる。制御信号の減衰の問題は、制御信号を複数の回路に供給するようにした時に発生することが知られている。第２の実施の形態によれば、この問題を大幅な回路構成を追加することなく実現できる。なお、第２の実施の形態におけるバッファ回路を配線９２、９４、９６にて転送される信号に対して適用してもよい。
【００５３】
次に、第３の実施の形態における駆動回路及び駆動回路ユニットについてを図面を用いて説明する。図６は第３の実施の形態における表示装置における表示パネル部１０を駆動する構成を示す回路ブロック図である。図６において、図１に示す第１の実施の形態と同様な構成要素については同じ符号を付けている。
【００５４】
図６においては、図１のゲートドライバ２０、３０、４０、５０の代わりにゲートドライバ２２０、２３０、２４０、２５０をそれぞれ設けている。
【００５５】
ゲートドライバ２２０、２３０、２４０、２５０は同様な回路構成となっている。最初に、ゲートドライバ２２０についてを以下に説明する。
【００５６】
ゲートドライバ２２０はレベルシフタ２２２、レベルシフタの動作を制御する動作制御回路２２４、シフトレジスタ２４、出力ドライバ２６から構成されている。レベルシフタ２２２は図１におけるレベルシフタ２２と同様である。ゲートドライバ２２０内のシフトレジスタ２４、出力ドライバ２６は図１におけるゲートドライバ２０内のシフトレジスタ、出力ドライバと同様である。
【００５７】
動作制御回路２２４は配線２６０にて転送される動作信号に応答して、レベルシフタ２２２の動作を制御するものである。図７に動作制御回路２２４の回路図を示す。
【００５８】
動作制御回路２２４はＰチャネル型ＭＯＳトランジスタ２２４ー１、Ｎチャネル型ＭＯＳトランジスタ２２４ー２、２２４ー４〜２２４ー７、インバータ２２４ー３から構成されている。トランジスタ２２４ー１及び２２４ー２は一方の電極には高電圧ＶＸが供給され、他方の電極は配線２２６に接続されている。配線２２６はレベルシフタ２２２の高電圧供給線（図２におけるトランジスタ２２ー１、２２ー２に高電圧ＶＸを供給する線）となる。トランジスタ２２４ー２は配線２６０に接続され、トランジスタ２２４ー３はインバータ２２４ー３を介して配線２６０に転送される信号の電圧レベルを反転した信号が入力される。
【００５９】
トランジスタ２２４ー４の一方の電極にはレベルシフタ２２２の出力の１つ（データ信号）が入力され、他方の電極は配線２８２に接続されている。トランジスタ２２４ー５の一方の電極にはレベルシフタ２２２の出力の１つ（クロック信号）が入力され、他方の電極は配線２８４に接続されている。トランジスタ２２４ー６の一方の電極にはレベルシフタ２２２の出力の１つ（シフト方向制御信号）が入力され、他方の電極は配線２８６に接続されている。トランジスタ２２４ー７の一方の電極にはレベルシフタ２２２の出力の１つ（出力イネーブル信号）が入力され、他方の電極は配線２８８に接続されている。トランジスタ２２４ー４〜２２４ー７のゲート電極は配線２６０に接続されている。
【００６０】
図７に示す動作制御回路において、動作信号として、高電圧ＶＸレベルの信号が配線２６０を介して入力された時、トランジスタ２２４ー１、２２４ー２はともに導通状態となる。高電圧ＶＸはトランジスタ２２４ー１あるいは２２４ー２を介しして配線２２６に転送される。レベルシフタ２２２は配線２２６に転送された高電圧ＶＸによりレベル変換可能に動作する。また、トランジスタ２２４ー４〜２２４ー７は配線２６０の高電圧ＶＸに応じて、導通状態となる。このため、レベルシフタ２２２から出力されるレベル変換された信号（データ信号、制御信号）が配線２８２、２８４、２８６、２８８にそれぞれ転送される。配線２８２、２８４、２８６、２８８に転送された各信号はそれぞれシフトレジスタ２４へ入力される。また、配線２８４、２８６、２８８に転送されている制御信号（クロック信号、シフト方向制御信号、出力イネーブル信号）はゲートドライバ２２０の外部へ出力される。つまり、ゲートドライバ２２０は配線２８４、２８６、２８８に転送されている制御信号を出力する出力端子を有する。
【００６１】
ゲートドライバ２３０は、ゲートドライバ２２０と同様に、レベルシフタ２３２、動作制御回路２３４、シフトレジスタ３４、出力ドライバ３６を有している。
【００６２】
レベルシフタ２３２の回路構成はレベルシフタ２２２と同様である。シフトレジスタ３４の回路構成はシフトレジスタ２４と同様である。出力ドライバ３６の回路構成は出力ドライバ２６と同様である。
【００６３】
動作制御回路２３４の回路構成は動作制御回路２２４と同様である。ただし、トランジスタ２２４ー２、２２４ー４〜２２４ー７のゲート電極には、配線２６０の電圧レベルと相補的な電圧レベルを有する信号が配線２６２から供給される。このため、動作信号として、高電圧ＶＸレベルと相補的な接地電圧レベルの信号が配線２６２を介して入力された時、トランジスタ２２４ー１、２２４ー２はともに非導通状態となる。高電圧ＶＸはトランジスタ２２４ー１あるいは２２４ー２を介して配線２２６に転送が禁止される。よって、レベルシフタ２３６には高電圧ＶＸが転送されないため、動作しない。また、ノイズ等の影響で、レベルシフタからの出力が誤ってシフトレジスタへ転送されることを防止できる。
【００６４】
ゲートドライバ２３０は、配線２８４、２８６、２８８に転送されている信号を受信する入力端子と、入力端子で受信した信号を出力する出力端子とを有する。
【００６５】
ゲートドライバ２４０、２５０はゲートドライバ２３０と同様な回路構成である。レベルシフタ２４２、２５２の回路構成はレベルシフタ２３２と同様である。動作制御回路２４４、２５４の回路構成は動作制御回路２３４と同様である。シフトレジスタ４４、５４の回路構成はシフトレジスタ３４と同様である。出力ドライバ４６、５６の回路構成は出力ドライバ３６と同様である。
【００６６】
ゲートドライバ２５０には配線２８４、２８６、２８８に転送されている信号をゲートドライバ２５０の外部へ出力する出力端子を設けているが、実施の形態においては、この出力は用いられないものである。出力端子を設けるのであれば、ゲートドライバ２５０として、ゲートドライバ２３０や２４０と同じものを適用できる。この場合、製造時間の短縮が望める。
【００６７】
図６に示す第３の実施の形態において、配線２６０の電圧（動作信号の電圧レベル）を高電圧ＶＸにしておく。これは、高電圧ＶＸを供給する配線に配線２６０を接続しておいてもよい。また、配線２６２の電圧を接地電圧にしておく。これは、接地電圧を供給する配線に配線２６２を接続しておいてもよい。配線２６０が高電圧ＶＸとなるので、動作制御回路２２４はレベルシフタ２２２に高電圧ＶＸを供給する。配線２６２が接地電圧となるので、動作制御回路２３４、２４４、２５４はそれぞれレベルシフタ２３２、２４２、２５２に高電圧ＶＸを供給することを禁止する。よって、図６に示す第３の実施の形態におけるゲートドライバ及び表示ユニットにおける表示パネル部１０へ駆動動作は図１に示す第１の実施の形態におけるゲートドライバ及び表示ユニットにおける表示パネル部１０へ駆動動作と同様となる。
【００６８】
第３の実施の形態においては、第１の実施の形態と同様な効果が得られるとともに、表示ユニットを構成する全てのゲートドライバの回路構成は同様となる。よって、開発や製造の時間を短縮することができる。なお、ゲートドライバ２３０、２４０、２５０にも配線７２、７４、７６、７８から入力される信号を転送し、動作制御回路２２４、２３４、２４４、２５４はそれぞれレベルシフタ２２２、２３２、２４２、２５２の前に配置して、配線７２、７４、７６、７８から入力される信号の転送を制御するものでもよい。この場合、電源電圧ＶＤＤ（５Ｖ）と接地電圧（０Ｖ）とで動作制御回路の動作を制御することができる。
【００６９】
また、配線２６０に転送される信号をインバータを介して配線２６２へ転送するようにしてもよい。この場合、インバータ１つ分の回路構成が増えることとなる。
【００７０】
次に、第４の実施の形態における駆動回路及び表示ユニットについてを図面を用いて説明する。図８は第４の実施の形態における表示装置における表示パネル部１０を駆動する構成を示す回路ブロック図である。図８において、図１に示す第１の実施の形態と同様な構成要素につては同じ符号を付けている。
【００７１】
図８においては、第１の駆動回路であるゲートドライバ２０の代わりに、レベル変換用の集積回路３２２と第２の駆動回路であるゲートドライバ３０、４０、５０と同様なゲートドライバ３２０を設けている。
【００７２】
レベル変換用の集積回路３２２の回路構成は図１におけるレベルシフタ２２と同様である。ゲートドライバ３２０におけるシフトレジスタ３２４の回路構成はシフトレジスタ３４、４４、５４と同様である。ゲートドライバ３２０における出力ドライバ３２６の回路構成は出力ドライバ３６、４６、５６と同様である。
【００７３】
レベル変換用の集積回路３２２は配線７２、７４、７６、７８から転送される信号のレベル変換をして、配線８２、８４、８６、８８に転送する。配線８２に転送される信号（データ信号）はシフトレジスタ３２４に入力される。配線８４、８６、８８に転送される信号（クロック信号、シフト方向制御信号、出力イネーブル信号）はシフトレジスタ３２４、３４、４４、５４に転送される。
【００７４】
図８に示す第４の実施の形態における表示ユニットによる表示パネル部１０の駆動動作は第１の実施の形態と同様である。
【００７５】
図８に示す第４の実施の形態においては、レベル変換用の集積回路３２２を設け、ゲートドライバ３２０、３０、４０、５０を全て同様な回路構成としている。このため、第１の実施の形態と同様な効果が得られるとともに、ゲートドライバの開発及び製造の時間を短縮することができる。レベル変換手段も集積回路化しているため、表示装置の構成に際して、表示パネル部１０周辺へ表示パネル部１０を駆動するための構成を容易に実装することができる。
【００７６】
以上、詳細に説明した第１〜第４の実施の形態の駆動回路及び表示ユニットを携帯機器に用いれば、携帯機器の使用時間を長くすることができ、有効である。
【００７７】
第１〜第４の実施の形態は上述の回路構成に限定されるものではない。例えば、第２の実施の形態の特徴であるバッファ回路を第３、第４の実施の形態に適用してもよい。各回路のトランジスタの極性等も、同様な動作が可能なものであれば限定されるものではない。また、各実施の形態におけるレベルシフタのレベル変換機能の一部を各駆動回路内の出力ドライバにそれぞれ持たせるようにしてもよい。例えば、全体として、０〜５Ｖの信号を０〜３０Ｖにレベル変換する場合、レベルシフタにおいて０〜２０Ｖまでのレベル変換を行い、出力ドライバにおいて残り１０Ｖ分のレベル変換を行うようにしてもよい。
【００７８】
【発明の効果】
上記実施の形態のように構成することで、駆動回路が適用される機器における消費電流の低減を実現する駆動回路並びに表示ユニットを提供することができる。
【００７９】
また、消費電流の低減した駆動回路並びに表示ユニットを、その回路構成を増大することなく実現することができる。
【００８０】
更に、消費電流の低減した駆動回路並びに表示ユニットを、駆動回路並びに表示ユニットの開発や製造を複雑化することなく実現することができる。
【００８１】
更に、消費電流の低減した駆動回路並びに表示ユニットを、表示装置の駆動を行う構成の機能が低減することなく実現することができる。
【図面の簡単な説明】
【図１】本発明の第１の実施の形態における表示装置における表示パネル部１０を駆動する構成を示す回路ブロック図である。
【図２】第１の実施の形態におけるレベルシフタ２２の回路構成の一部である。
【図３】第１の実施の形態におけるシフトレジスタ２４、３４、４４、５４の回路構成図である。
【図４】本発明の第２の実施の形態における表示装置における表示パネル部１０を駆動する構成を示す回路ブロック図である。
【図５】第２の実施の形態におけるバッファ回路１３２、１４２、１５２の回路構成図である。
【図６】本発明の第３の実施の形態における表示装置における表示パネル部１０を駆動する構成を示す回路ブロック図である。
【図７】第３の実施の形態における動作制御回路２２４の回路構成図である。
【図８】本発明の第４の実施の形態における表示装置における表示パネル部１０を駆動する構成を示す回路ブロック図である。
【符号の説明】
１０    表示パネル部
２０    ゲートドライバ（第１の駆動回路）
３２０    ゲートドライバ
３０、４０、５０、１３０、１４０、１５０    ゲートドライバ（第２の駆動回路）
２２、２２２、２３２、２４２、２５２    レベルシフタ
２４、３４、４４、５４    シフトレジスタ
２６、３６、４６、５６    出力ドライバ
１３２、１４２、１５２    バッファ回路
２２４、２３４、２４４、２５４    動作制御回路
３２２    レベル変換用集積回路
【図１】
0004386479.tif 000002
【図２】
0004386479.tif 000003
【図３】
0004386479.tif 000004
【図４】
0004386479.tif 000005
【図５】
0004386479.tif 000006
【図６】
0004386479.tif 000007
【図７】
0004386479.tif 000008
【図８】
0004386479.tif 000009